(57)【要約】【課題】シャックルロッドの形態にかかわらずシャックルロッドの回転を防止することができる回り止め具を提供する。【解決手段】第１シャックルロッド１５０の第１回り止め具１００は、エレベータ５００の乗りかご５１０および釣合錘５１２を懸架する複数のワイヤーロープ５１１の端部をそれぞれ係止する複数のシャックルロッド１５０の回り止め具１００であって、第１シャックルロッド１５０は、一対の平面部Ｆ１，Ｆ１を有し、一対の平面部Ｆ１，Ｆ１は、互いに略平行であって、一対の平面部Ｆ１，Ｆ１に嵌め合わされる保持具１１０と、複数の保持具１１０のうちの二つを互いに連結する連結具１２０と、を備える。【選択図】図３
2020193057.tif 000002
【特許請求の範囲】
【請求項１】
エレベータの乗りかごおよび釣合錘を懸架する複数のワイヤーロープの端部をそれぞれ係止する複数のシャックルロッドの回転を防止する回り止め具であって、
前記シャックルロッドは、一対の平面部を有し、
前記一対の平面部は、互いに略平行であって、
前記一対の平面部に嵌め合わされる保持具と、複数の前記保持具のうちの二つを互いに連結する連結具と、を備える、回り止め具。
【請求項２】
前記連結具は、ローラーチェーンであって、
前記保持具は、前記連結具が繋がれる環部を有する、請求項１に記載の回り止め具。
【請求項３】
前記保持具は、前記一対の平面部にそれぞれ当接する一対の側壁を含み、前記一対の側壁の先端部を互いに接続する接続具を有する、請求項１または２に記載の回り止め具。
【発明の詳細な説明】
【技術分野】
【０００１】
本発明は、複数のシャックルロッドの回転を防止する回り止め具に関する。
【背景技術】
【０００２】
シャックルロッドは、エレベータの乗りかごおよび釣合錘を懸架するワイヤーロープの端部を係止するものとして公知である。乗りかごおよび釣合錘が昇降すると、ワイヤーロープにねじれが発生するため、シャックルロッドとワイヤーロープとが一体となって回転する。
【０００３】
シャックルロッドの回転を防止する技術として、例えば特許文献１には、シャックルロッドのソケットの隙間部分にワイヤーを挿通するシャックルロッドの回転防止構造が開示される。しかしながら、近年では、例えば特許文献２に開示されるシャックルロッドのようにソケットに隙間部分がない、分割型シャックルロッドまたはスエージ型シャックルロッドと称されるシャックルロッドも公知である。
【先行技術文献】
【特許文献】
【０００４】
【特許文献１】特開２００６−１８８３１５号公報
【特許文献２】特許第６１９４０５１号公報
【発明の概要】
【発明が解決しようとする課題】
【０００５】
分割型シャックルロッドまたはスエージ型シャックルロッドと称されるシャックルロッドのように、ソケットに隙間部分がないシャックルロッドであっても、シャックルロッドの回転を防止する必要がある。つまり、シャックルロッドの形態にかかわらずシャックルロッドの回転を防止することができるシャックルロッドの回り止め具が求められている。
【０００６】
本発明の目的は、シャックルロッドの形態にかかわらずシャックルロッドの回転を防止することができる回り止め具を提供することである。
【課題を解決するための手段】
【０００７】
本発明に係るシャックルロッドの回り止め具は、エレベータの乗りかごおよび釣合錘を懸架する複数のワイヤーロープの端部をそれぞれ係止する複数のシャックルロッドの回り止め具であって、シャックルロッドは、一対の平面部を有し、一対の平面部は、互いに略平行であって、一対の平面部に嵌め合わされる保持具と、複数の保持具のうちの二つを互いに連結する連結具と、を備えることを特徴とする。
【０００８】
本発明に係る回り止め具において、連結具は、ローラーチェーンであって、保持具は、連結具が繋がれる環部を有することが好ましい。
【０００９】
本発明に係る回り止め具において、保持具は、一対の平面部にそれぞれ当接する一対の側壁を含み、一対の側壁の先端部を互いに接続する接続具を有することが好ましい。
【発明の効果】
【００１０】
本発明に係る回り止め具によれば、シャックルロッドの形態にかかわらずシャックルロッドの回転を防止することができる。
【図面の簡単な説明】
【００１１】
【図１】本実施形態の回り止め具が取り付けられるシャックルロッドを備えるエレベータの構成を示す模式図である。
【図２】本実施形態の回り止め具が取り付けられるシャックルロッドの構成を示す（ａ）正面図および（ｂ）側面図である。
【図３】本実施形態の回り止め具の構成を示す平面図である。
【図４】本実施形態の回り止め具の構成を示す正面図である。
【図５】別実施形態のシャックルロッドの構成を示す斜視図である。
【図６】別実施形態の回り止め具の構成を示す平面図である。
【図７】別実施形態の回り止め具の構成を示す正面図である。
【発明を実施するための形態】
【００１２】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本発明のシャックルロッドの回り止め具はこれに限定されない。
【００１３】
以下で説明する形状、材料および個数は、説明のための例示であって、シャックルロッドの回り止め具の仕様に応じて適宜変更することができる。以下ではすべての図面において同等の要素には同一の符号を付して説明する。また、本文中の説明においては、必要に応じてそれ以前に述べた符号を用いるものとする。
【００１４】
図１を用いて、エレベータ５００の構成について説明する。図１は、エレベータ５００の構成を示す模式図である。
【００１５】
エレベータ５００は、第１シャックルロッド１５０を備える。第１シャックルロッド１５０には、回り止め具としての第１回り止め具１００（図３参照）が取り付けられる。エレベータ５００は、乗りかご５１０および釣合錘５１２をワイヤーロープ５１１によって懸架する構成である。
【００１６】
エレベータ５００は、乗りかご５１０と、複数のワイヤーロープ５１１と、釣合錘５１２と、巻上機５１３と、第１綱車５１４と、第２綱車５１５と、第３綱車５１６と、第４綱車５１７と、第５綱車５１８と、を備える。また、巻上機５１３は、モータ５１３ａと、モータ５１３ａからの動力によって回動する綱車５１３ｂと、を有する。
【００１７】
乗りかご５１０は、建物内を上下方向に延在する昇降路５２０内に配置される。第１綱車５１４および第２綱車５１５は、乗りかご５１０の底に設置される。一方、第３綱車５１６および第４綱車５１７は、昇降路５２０の奥行方向に間隔をおいた状態で昇降路５２０の天井に設置される。また、第５綱車５１８は、昇降路５２０内に配置された釣合錘５１２に取り付けられる。
【００１８】
ワイヤーロープ５１１は、乗りかご５１０および釣合錘５１２を懸架する。本実施形態では、例えば３本のワイヤーロープ５１１が用いられる。それぞれのワイヤーロープ５１１の一端部は、第１シャックルロッド１５０を介して昇降路５２０の天井に固定される。ワイヤーロープ５１１は、昇降路５２０の天井から第１綱車５１４、第２綱車５１５、第３綱車５１６、巻上機５１３の綱車５１３ｂ、第４綱車５１７、第５綱車５１８の順に巻回される。ワイヤーロープ５１１の他端部は、第２シャックルロッド２５０を介して昇降路５２０の天井に固定される。釣合錘５１２の重さは、釣合錘５１２にワイヤーロープ５１１を介してつながる乗りかご５１０との間でバランスを取るように設定される。
【００１９】
図２を用いて、第１シャックルロッド１５０の構成について説明する。図２（ａ）は、第１シャックルロッド１５０の構成を示す正面図である。図２（ｂ）は、第１シャックルロッド１５０の構成を示す側面図である。
【００２０】
第１シャックルロッド１５０は、天井部に設けられた係止部にワイヤーロープ５１１の一端部を係止する。本実施形態では、３本のワイヤーロープ５１１のそれぞれに対応するように３つの第１シャックルロッド１５０が用いられる。
【００２１】
第１シャックルロッド１５０は、ロッド１５１と、ソケット１５２と、ピン１５３と、を備える。第１シャックルロッド１５０では、ロッド１５１とソケット１５２とがピン１５３で連結されている。このような構成の第１シャックルロッド１５０は、分割型シャックルロッドまたはスエージ型シャックルロッドと称される。ロッド１５１は、略丸棒状に形成される。ロッド１５１の上端部は、天井に設けられた係止部に固定される。ロッド１５１の下端部には、頭部１５１ａが形成される。頭部１５１ａには、互いに平行な平面部が形成されると共に略中央部に孔が形成される。
【００２２】
ソケット１５２は、ワイヤー挿入部１５２ｂと、ロッド挿入部１５２ａと、を有している。ワイヤー挿入部１５２ｂは、ソケット１５２の下側に形成され、ワイヤー５１１が挿入される。ワイヤー挿入部１５２ｂは、下側から上側に向かうに従って径が増加する円錐状に形成される。ロッド挿入部１５２ａは、ソケット１５２の上側に形成される。ロッド挿入部１５２ａの上側は、側面視にて凹形状に形成される。ロッド挿入部１５２ａの凹形状には、ロッド１５１の頭部１５１ａが挿入される。ロッド挿入部１５２ａの上側の側面周囲は、互いに略平行な一対の平面部Ｆ１，Ｆ１が形成される。それぞれの平面部Ｆ１の略中央には、孔が形成される。
【００２３】
ピン１５３は、ソケット１５２のロッド挿入部１５２ａにロッド１５１の頭部１５１ａが挿入された状態で、ロッド挿入部１５２ａの孔と頭部１５１ａの孔とを貫通するとともに、割ピン１５４でソケット１５２に保持される。
【００２４】
第１シャックルロッド１５０が設けられるワイヤーロープ５１１の一端部では、係止部の係止位置を調整することによって、ワイヤーロープ５１１のテンションが調整される。そのため、それぞれの第１シャックルロッド１５０は、互いに上下方向の位置がズレた状態で係止されていることが多い。また、それぞれの第１シャックルロッド１５０は、平面視において、略三角形状の各頂点に位置する。
【００２５】
図３および図４を用いて、第１回り止め具１００の構成について説明する。図３は、第１回り止め具１００の構成を示す平面図である。図４は、第１回り止め具１００の構成を示す正面図である。
【００２６】
第１回り止め具１００は、第１シャックルロッド１５０の回転を防止するものである。本実施形態では、平面視において略三角形状の各頂点に位置する３つの第１シャックルロッド１５０の回転を防止する。第１回り止め具１００は、複数の保持具１１０と、複数の連結具１２０と、を備える。
【００２７】
保持具１１０は、第１シャックルロッド１５０に取り付けられるものである。保持具１１０の数は、エレベータ５００に設けられた第１シャックルロッド１５０の個数と同一とされる。本実施形態の第１回り止め具１００は、３つの保持具１１０を備える。保持具１１０は、本体１１１と、環部１１２と、接続具１１３と、を有する。
【００２８】
本体１１１は、第１シャックルロッド１５０の一対の平面部Ｆ１，Ｆ１に嵌め合わされるものである。本体１１１は、平面視において略Ｕ字形状に形成される。本体１１１は、基端部１１１ａと、一対の側壁部１１１ｂ，１１１ｂと、を含む。基端部１１１ａは、一対の側壁部１１１ｂ、１１１ｂの基端部を形成する。一対の側壁部１１１ｂ、１１１ｂは、互いに平行に配置される。側壁部１１１ｂは、側面視において先端部が開口される略Ｃ字形状に形成される。
【００２９】
保持具１１０が第１シャックルロッド１５０に取り付けられるときには、一対の側壁部１１１ｂ、１１１ｂに第１シャックルロッド１５０の一対の平面部Ｆ１，Ｆ１のそれぞれが当接するように、本体１１１が第１シャックルロッド１５０のソケット１５２のワイヤー挿入部１５２ｂに嵌め合わされる。
【００３０】
また、保持具１１０が第１シャックルロッド１５０に取り付けられるときには、側壁部１１１ｂの略Ｃ字形状の開口部にピン１５３が位置するように、本体１１１が第１シャックルロッド１５０のソケット１５２のワイヤー挿入部１５２ｂに嵌め合わされる。
【００３１】
さらに、保持具１１０が第１シャックルロッド１５０に取り付けられるときには、本体１１１の基端部１１１ａに設けられる環部１１２が隣接する第１回り止め具１００のうちのいずれか一つを向くように取り付けられる。
【００３２】
環部１１２は、本体１１１に連結具１２０を接続するものである。環部１１２は、本体１１１の基端部１１１ａに設けられる。環部１１２は、側面視において上下方向に沿って長い長円形状に形成される。
【００３３】
接続具１１３は、一対の側壁部１１１ｂ，１１１ｂの先端部を互いに接続するものである。接続具１１３は、例えばボルトが好適に用いられる。
【００３４】
連結具１２０は、２つの保持具１１０を連結するものである。本実施形態の第１回り止め具１００は、２つの連結具１２０を備えるが、特に限定されない。連結具１２０は、隣接する保持具１１０の環部１１２同士を接続する。連結具１２０は、例えばローラーチェーンが好適に用いられる。また、連結具１２０は、容易に短縮または延長することができる構成とされる。具体的には、継手チェーンをクリップまたはスナップで固定する構成が好適に用いられる。
【００３５】
第１回り止め具１００の効果について説明する。第１回り止め具１００によれば、第１シャックルロッド１５０の回転を防止することができる。すなわち、第１シャックルロッド１５０のソケット１５２に形成される一対の平面部Ｆ１，Ｆ１に保持具１１０を嵌合させ、隣接する保持具１１０同士を連結具１２０によって連結することによって、第１シャックルロッド１５０の回転が防止される。
【００３６】
また、第１回り止め具１００によれば、連結具１２０をローラーチェーンとすると共に環部１１２を長円形状に形成することによって、連結具１２０によって連結された保持具１１０同士の互いの上下方向の移動の自由度を付与している。これにより、第１シャックルロッド１５０が設けられるワイヤーロープ５１１の一端部でワイヤーロープ５１１のテンションが調整され、連結された第１シャックルロッド１５０のそれぞれの上下方向の位置がずれた場合でも、上下方向における位置の差を吸収することができる。
【００３７】
さらに、第１回り止め具１００によれば、保持具１１０に接続具１１３を取り付けることによって、第１シャックルロッド１５０から保持具１１０が脱落することを防止することができる。
【００３８】
図５を用いて、第２シャックルロッド２５０の構成について説明する。図５は、第２シャックルロッド２５０の構成を示す斜視図である。
【００３９】
第２シャックルロッド２５０は、天井部に設けられた係止部にワイヤーロープ５１１の他端部を係止する。本実施形態では、３本のワイヤーロープ５１１のそれぞれに対応するように３つの第２シャックルロッド２５０が用いられる。それぞれの第２シャックルロッド２５０は、平面視において一列に並んで位置する。
【００４０】
第２シャックルロッド２５０は、シャックルロッド２５１と、ソケット２５２と、を備える。第２シャックルロッド２５０では、シャックルロッド２５１とソケット２５２とが一体に構成される。このような構成の第２シャックルロッド２５０は、くさび型シャックルロッドと称される。
【００４１】
シャックルロッド２５１の上端部は、天井に設けられた係止部に固定される。ソケット２５２は、ロッド固定部２５２ａと、くさび収納部２５２ｂと、を有する。ロッド固定部２５２ａは、少なくとも一対の平面部Ｆ２，Ｆ２を含む略直方体状に形成される。一対の平面部Ｆ２，Ｆ２は、互いに略平行である。
【００４２】
くさび収納部２５２ｂは、中空であって、側面視において略台形状に形成される。くさび収納部２５２ｂには、ワイヤーロープ５１１の他端部が巻回されるくさび材が収納される。ワイヤーロープ５１１のうちソケット２５２の下方に向かって２本並んで延び出る部分は、ロープクリート２５５によって他のワイヤーロープ５１１と共に固定される。
【００４３】
ワイヤーロープ５１１の他端部では、ロープクリート２５５によってワイヤーロープ５１１同士が固定されるため、それぞれのワイヤーロープ５１１のねじり戻りは発生しない。しかし、ワイヤーロープ５１１の一端部でテンションを調整したときには、ワイヤーロープ５１１にねじりによる負荷が発生する。そのため、第１シャックルロッド１５０と同様に第２シャックルロッド２５０の回転を防止することが求められている。
【００４４】
図６および図７を用いて、第２回り止め具２００の構成について説明する。図６は、第２回り止め具２００の構成を示す平面図である。図７は、第２回り止め具２００の構成を示す正面図である。
【００４５】
第２回り止め具２００は、第２シャックルロッド２５０の回転を防止するものである。本実施形態では、３つの第２シャックルロッド２５０が平面視において一列に配置され、これらの第２シャックルロッド２５０の回転を防止する。第２回り止め具２００は、正面押さえ板２１０と、背面押さえ板２２０と、複数の締結具２３０と、を備える。
【００４６】
正面押さえ板２１０は、長尺状に形成される。正面押さえ板２１０は、長尺方向に垂直な断面視において、例えば中空の略矩形状に形成される。正面押さえ板２１０には、水平面において長尺方向と垂直な方向に沿って貫通孔２１０ａが形成される。貫通孔２１０ａは長尺方向に沿って長い長円形状に形成される。正面押さえ板２１０は、第２シャックルロッド２５０のソケット２５２の一方の平面部Ｆ２に当接する。
【００４７】
背面押さえ板２２０は、長尺状に形成される。背面押さえ板２２０は、長尺方向に垂直な断面視において、例えば中空の略矩形状に形成される。背面押さえ板２２０には、水平面において長尺方向と垂直な方向に沿って、貫通孔が形成される。貫通孔は長尺方向に沿って長い長円形状に形成される。背面押さえ板２２０の内部には、複数の受け部２２１が収納される。受け部２２１の略中央部には、雌ネジ部が形成される。受け部２２１は、正面から見て雌ネジ部が貫通孔に含まれるように背面押さえ板２２０の内部に移動可能に収納される。背面押さえ板２２０は、第２シャックルロッド２５０のソケット２５２の他方の平面部Ｆ２に当接する。
【００４８】
締結具２３０は、例えばボルトが好適に用いられる。締結具２３０は、例えば、一列に並んだ第２シャックルロッド２５０の間にそれぞれ配置される。締結具２３０は、２１０の貫通孔２１０ａと、背面押さえ板２２０の貫通孔とを貫通し、受け部２２１の雌ネジ部に螺合される。
【００４９】
第２回り止め具２００の効果について説明する。第２回り止め具２００によれば、第２シャックルロッド２５０の回転を防止することができる。すなわち、第２シャックルロッド２５０のソケット２５２に形成される一対の平面部Ｆ２，Ｆ２に正面押さえ板２１０と背面押さえ板２２０とを当接させ、正面押さえ板２１０と背面押さえ板２２０とを締結具２３０で締結することによって、第２シャックルロッド２５０の回転が防止される。
【００５０】
なお、本発明は上述した実施形態およびその変形例に限定されるものではなく、本願の特許請求の範囲に記載された事項の範囲内において種々の変更や改良が可能であることは勿論である。
【符号の説明】
【００５１】
１００  第１回り止め具（回り止め具），１１０  保持具，１１１  本体，１１２  環部，１１３  接続具，１２０  連結具，１５０  第１シャックルロッド（シャックルロッド），Ｆ１  平面部
【図１】
2020193057.tif 000003
【図２】
2020193057.tif 000004
【図３】
2020193057.tif 000005
【図４】
2020193057.tif 000006
【図５】
2020193057.tif 000007
【図６】
2020193057.tif 000008
【図７】
2020193057.tif 000009